(57)【要約】【課題】第二層の成形時における開口部への射出材料の流れ込みを防止して、第一層のうち第二層で覆われた部分に開口部を設けてなる二層構造の射出成形品を低コストに製造可能とする。【解決手段】第一層２を成形した後、第一層２の一部を覆うように第二層３を成形すると共に、少なくとも第二層３に開口する開口部４を形成するに際し、キャビティ２０に設けられた成形面２１の一部２１ａを有するスライドブロック９０を型開き方向と異なる向きにスライドさせて、第一層２と成形面２１の一部２１ａとの間に第二層３の射出空間４２を形成した後、第二層３を成形すると共に、開口部４の成形面２１ｃを有する追従ブロック１３０をスライドブロック９０に設け、スライドブロック９０のスライド動作の間、開口部４の成形面２１ｃが第一層２のうち開口部４が形成される部分４ａに密着した状態を維持するように、追従ブロック１３０をコア３０及び第一層２に追従させる。【選択図】図８
2020116919.tif 000002
【特許請求の範囲】
【請求項１】
第一層と、前記第一層の少なくとも一部を覆う第二層と、少なくとも前記第二層に開口する開口部とを備えた射出成形品の製造方法であって、
前記第一層の成形面を有するコア及びキャビティを使用して前記第一層を成形する第一成形工程と、
前記キャビティに設けられた前記成形面の一部を有するスライドブロックを型開き方向と異なる向きにスライドさせて、前記第一層と前記成形面の一部との間に前記第二層の射出空間を形成した後、前記第二層を成形する第二成形工程とを備え、
前記開口部の成形面を有する追従ブロックを前記スライドブロックに設け、前記スライドブロックのスライド動作の間、前記開口部の成形面が前記第一層のうち前記開口部が形成される部分に密着した状態を維持するように、前記追従ブロックを前記コア及び前記第一層に追従させる、射出成形品の製造方法。
【請求項２】
前記スライドブロックと別体に規制部材を設けて、前記規制部材により前記追従ブロックの前記型開き方向に直交する向きの移動を規制した状態で、前記コアの前記型開き動作に伴って、前記追従ブロックを前記規制部材に対して前記型開き方向に摺動するようにした請求項１に記載の射出成形品の製造方法。
【請求項３】
第一層と、前記第一層の少なくとも一部を覆う第二層と、少なくとも前記第二層に開口する開口部とを備えた射出成形品を成形するための射出成形金型であって、
前記第一層の成形面を有するコア及びキャビティと、
前記キャビティに設けられ前記成形面の一部を有するスライドブロックと、
前記スライドブロックに設けられ前記開口部の成形面を有する追従ブロックとを備え、
前記スライドブロックを型開き方向と異なる向きにスライドさせて、前記第一層と前記成形面の一部との間に前記第二層の射出空間を形成した後、前記第二層を成形し、
前記スライドブロックのスライド動作の間、前記開口部の成形面が前記第一層のうち前記開口部が形成される部分に密着した状態を維持するように、前記追従ブロックが前記コア及び前記第一層に追従可能に構成される、射出成形金型。
【発明の詳細な説明】
【技術分野】
【０００１】
本発明は、射出成形品の製造方法、及び射出成形金型に関する。
【背景技術】
【０００２】
例えば、自動車のインパネやバンパーなどの大型部品のうち、インパネについては、樹脂で成形するのが一般的である。また、バンパーについても、近年、樹脂化への取り組みが進められている。これら大型部品を成形するに際しては、成形品に対応する形状のコアとキャビティとからなる一対の成形用金型と、射出用ユニットとを備えた射出成形装置を用いて、射出成形を行うのが一般的である。
【０００３】
ここで、例えばインパネを射出成形で製造する場合、インパネの高品質化を図る目的で、特に意匠面の品質向上を図る目的で、射出成形材料に例えば所望の色彩、光沢感、質感などを示し得る樹脂やエラストマー、ゴムなどを使用することが検討され、開発が進められている。しかしながら、インパネは大型部品であるが故に高い強度、剛性が求められることから、意匠品質に優れた材料のみでインパネを成形することは難しい。また、上述した射出材料が汎用の樹脂に比べて高価であることも、上記射出材料のみで成形することを妨げる一因となっている。
【０００４】
そこで、強度や剛性などの機械的特性と、色彩や光沢感、質感などの意匠品質とを共に満たし得るインパネとして、インパネのベースとなる第一層と、第一層に密着して形成され、インパネの意匠面の少なくとも一部（例えば上面部の意匠面）を有する第二層との二層構造をなす射出成形品が考えられる。この二層構造をなす射出成形品の製造方法としては、第一の金型で第一層を成形した後、第二層を成形するためのコア上に第一層を移動させた状態で、コアと共に第二層を成形するためのキャビティを用意し、これらコアとキャビティとからなる第二の金型でインサート状態の第一層上に第二層を射出成形する方法が知られている（例えば、特許文献１を参照）。
【０００５】
あるいは、１個のコアと、成形面形状が互いに異なる２個のキャビティとを備えた射出成形装置を用いた射出成形品の製造方法であって、最初に一方のキャビティとコアとを使用して第一層を射出成形し、次に、一方のキャビティと他方のキャビティとを入れ替えて（例えば２個のキャビティを所定の軸まわりに回転又はスライドさせて）他方のキャビティをコアと対向配置した後、コアの成形面上に第一層を配置した状態で、第二層を射出成形する方法が知られている（例えば、特許文献２を参照）。
【０００６】
あるいは、一種類の金型（一対のコアとキャビティ）で二層構造の射出成形品を得ることを目的として、一対のコアとキャビティからなる一つの金型で射出成形品の第一層を射出成形した後、コアを型開き方向にスライドさせて（コアをバックさせて）、コア側に保持された第一層とキャビティとの間に新たに第二層を成形するための空間を形成した状態で、第一層を覆うように第二層を射出成形する方法が知られている（例えば、特許文献３を参照）。
【先行技術文献】
【特許文献】
【０００７】
【特許文献１】特開２０１５−１６８１１０号公報
【特許文献２】特開２０１１−８４０１６号公報
【特許文献３】特開２００５−１１１８２０号公報
【発明の概要】
【発明が解決しようとする課題】
【０００８】
ここで、特許文献３に記載の方法をインパネの射出成形に適用すれば、一種類の金型（一対のコアとキャビティ）で二層構造のインパネを得ることができ、二種類以上の金型を用意する手間、コスト、及びスペースの省略化による生産性の向上が期待できる。
【０００９】
一方で、インパネは複雑な形状の前面部と上面部とを一体に有する大型部品であるから、インパネを二層構造の射出成形品とする場合、アンダーカット部がなるべく生じないように、インパネの第一層の金型内における射出空間の位置及び姿勢を設定する必要が生じる。この場合、第一層の射出空間の位置及び姿勢が制限されるので、意匠面を有する第二層を形成しようとする位置や範囲によっては、第二層の表面が指向する向きと型開き方向とが大きく異なり、コアバックを利用して第二層を成形することが困難になる。
【００１０】
そこで、例えばインパネの上面部など、型開き方向と異なる向きを指向する表層部を第二層として成形する場合には、第一層の成形に使用したキャビティの成形面の一部を型開き方向とは異なる向きにスライドさせることが考えられる。このようにすれば、第一層とキャビティとの間に第二層を成形するための空間を形成することができるので、第二層の大部分が型開き方向とは異なる向きを指向するような形態のインパネであっても、その厚み方向に合わせて成形面の一部（すなわちキャビティの一部）をスライドさせることができる。よって、第二層の向きに関係なく、コアに第一層が保持された状態で第二層のための所望の射出空間を形成することができる。
【００１１】
ところで、インパネには、メーター表示部やカーナビ、アッパーボックスなど種々の部品を取付ける必要から、インパネのベースとなる第一層のうち第二層で覆われた部分に第一層及び第二層に開口する開口部を設けることがある。この場合、例えば型開き方向と異なる向きにスライドするスライドブロックに開口部の成形面を設けることによって、第一層及び第二層の成形と同時に開口部を成形することができるが、この方法だと、スライドブロックのスライド動作により、先に成形した第一層と、開口部の成形面との間に無視できない大きさの隙間が生じることがある。すなわち、図９（ａ）に示すように、第一層２０１を成形した後、スライドブロック２０２をコア２０３及び第一層２０１から離れる向き（図９（ａ）では上方向）にスライドさせることにより、第二層を射出成形するための空間２０４が第一層２０１とスライドブロック２０２との間に形成される。しかしながら、上述した射出空間２０４の端部２０４ａにおいては、スライドブロック２０２に設けた第一層２０１の成形面２０２ａから開口部の成形面２０２ｂが突出しているために、第二層の射出空間２０４を形成した状態では、開口部の成形面２０２ｂと第一層２０１との間に、無視できない大きさの隙間２０５が生じる（図９（ｂ）を参照）。これでは第二層の射出空間２０４だけでなく、上述した隙間２０５にまで射出材料が流れ込むおそれが高まるため、開口部を安定的に形成することが難しい。また、不要な箇所に射出材料が流れ込むことで、材料の使用量が増加し、重量増並びに材料コストの高騰を招く。
【００１２】
上述した問題は何も自動車用インパネに限ったことではなく、第一層の一部を覆うように第二層を形成してなり、かつ上述の如き開口部を有する他の種類の射出成形品を製造する場合にも起こり得る。
【００１３】
以上の事情に鑑み、本発明では、第二層の成形時における開口部への射出材料の流れ込みを防止して、第一層のうち第二層で覆われた部分に開口部を設けてなる二層構造の射出成形品を低コストに製造可能とすることを、解決すべき技術課題とする。
【課題を解決するための手段】
【００１４】
前記課題の解決は、本発明に係る射出成形品の製造方法によって達成される。すなわち、この製造方法は、第一層と、第一層の少なくとも一部を覆う第二層と、少なくとも第二層に開口する開口部とを備えた射出成形品の製造方法であって、第一層の成形面を有するコア及びキャビティを使用して第一層を成形する第一成形工程と、キャビティに設けられた成形面の一部を有するスライドブロックを型開き方向と異なる向きにスライドさせて、第一層と成形面の一部との間に第二層の射出空間を形成した後、第二層を成形する第二成形工程とを備え、開口部の成形面を有する追従ブロックをスライドブロックに設け、スライドブロックのスライド動作の間、開口部の成形面が第一層のうち開口部が形成される部分に密着した状態を維持するように、追従ブロックをコア及び第一層に追従させる点をもって特徴付けられる。
【００１５】
このように、本発明に係る射出成形品の製造方法では、型開き方向と異なる向きにスライドするスライドブロックを設け、このスライドブロックのスライド動作により第二層の射出空間を形成する場合に、開口部の成形面を有する追従ブロックをスライドブロックに設けて、スライドブロックのスライド動作の間、開口部の成形面が第一層のうち開口部が形成される部分に密着した状態を維持するように、追従ブロックをコア及び第一層に追従させるようにした。このように、スライドブロックに設けた追従ブロックをコア及び第一層に追従させることによって、第二層の射出空間を形成した状態では、開口部に隣接する第二層の射出空間の端部を第一層と追従ブロックに設けた開口部の成形面とでシールすることができる。これにより、第二層用の射出材料が開口部の成形面と第一層との間に流れ込む事態を防止して、第二層及び開口部をそれぞれ所要の位置及び範囲に形成することができる。また、材料増加に伴う射出成形品の重量増加を防止でき、またその分の材料コスト高騰を回避することが可能となる。また、第一層の表面と密着する追従ブロックの表面は、型締め時（第一層の成形時）には、開口部を区画する第一層の一部を成形するための成形面であり、コアバックの間、第一層のうち開口部を区画する部分を成形したときの状態を維持することになる。そのため、例えば第一層の表面と追従ブロックとが擦れて、第一層の表面が傷つくおそれもない。もちろん、本発明によれば、一種類の金型（一対のコア及びキャビティ）のみで二層構造の射出成形品を成形することができるので、製造コスト、設置スペースの面でも良好であり、また金型の交換動作等も必要ないため、生産性の面でも良好である。以上より、本発明に係る射出成形品の製造方法によれば、第一層のうち第二層で覆われた部分に開口部が設けられてなる高品質の自動車用インパネを低コストに量産することが可能となる。
【００１６】
また、本発明に係る射出成形品の製造方法においては、スライドブロックと別体に規制部材を設けて、規制部材により追従ブロックの型開き方向に直交する向きの移動を規制した状態で、コアの型開き動作に伴って、追従ブロックを規制部材に対して型開き方向に摺動するようにしてもよい。
【００１７】
このようにスライドブロックと別体に設けた規制部材で追従ブロックの型開き方向に直交する向きの移動を規制することにより、スライドブロックのスライド動作の間における追従ブロックの型開き方向に直交する向きの移動が規制される。また、上述のように追従ブロックの移動を規制した状態で、型開き動作の間、追従ブロックを規制部材に対して型開き方向に摺動させることで、コアと共に型開き方向に移動する第一層に密着した状態を維持したままで追従ブロックを追従させることができる。よって、簡易な構成で、第二層の射出空間の端部をシールして、開口部をより安定的に形成することが可能となる。
【００１８】
また、前記課題の解決は、本発明に係る射出成形金型によっても達成される。すなわち、この射出成形金型は、第一層と、第一層の少なくとも一部を覆う第二層と、少なくとも第二層に開口する開口部とを備えた射出成形品を成形するための射出成形金型であって、第一層の成形面を有するコア及びキャビティと、キャビティに設けられ成形面の一部を有するスライドブロックと、スライドブロックに設けられ開口部の成形面を有する追従ブロックとを備え、スライドブロックを型開き方向と異なる向きにスライドさせて、第一層と成形面の一部との間に第二層の射出空間を形成した後、第二層を成形し、スライドブロックのスライド動作の間、開口部の成形面が第一層のうち開口部が形成される部分に密着した状態を維持するように、追従ブロックがコア及び第一層に追従可能に構成される点をもって特徴付けられる。
【００１９】
このように、本発明に係る射出成形金型では、型開き方向と異なる向きにスライドするスライドブロックを設け、このスライドブロックのスライド動作により第二層の射出空間を形成する場合に、開口部の成形面を有する追従ブロックをスライドブロックに設けて、スライドブロックのスライド動作の間、開口部の成形面が第一層のうち開口部が形成される部分に密着した状態を維持するように、追従ブロックをコア及び第一層に追従させるようにした。このように、スライドブロックに設けた追従ブロックをコア及び第一層に追従させることによって、第二層の射出空間を形成した状態では、開口部に隣接する第二層の射出空間の端部を第一層と追従ブロックに設けた開口部の成形面とでシールすることができる。これにより、第二層用の射出材料が開口部の成形面と第一層との間に流れ込む事態を防止して、第二層及び開口部をそれぞれ所要の位置及び範囲に形成することができる。また、材料増加に伴う射出成形品の重量増加を防止でき、またその分の材料コスト高騰を回避することが可能となる。また、第一層の表面と密着する追従ブロックの表面は、型締め時（第一層の成形時）には、開口部を区画する第一層の一部を成形するための成形面であり、コアバックの間、第一層のうち開口部を区画する部分を成形したときの状態を維持することになる。そのため、例えば第一層の表面と追従ブロックとが擦れて、第一層の表面が傷つくおそれもない。もちろん、本発明によれば、一種類の金型（一対のコア及びキャビティ）のみで二層構造の射出成形品を成形することができるので、製造コスト、設置スペースの面でも良好であり、また金型の交換動作等も必要ないため、生産性の面でも良好である。以上より、本発明に係る射出成形金型によれば、第一層のうち第二層で覆われた部分に開口部が設けられてなる高品質の自動車用インパネを低コストに量産することが可能となる。
【発明の効果】
【００２０】
以上のように、本発明に係る射出成形品の製造方法及び射出成形金型によれば、第二層の成形時における開口部への射出材料の流れ込みを防止して、第一層のうち第二層で覆われた部分に開口部を設けてなる二層構造の射出成形品を低コストに製造することが可能になる。
【図面の簡単な説明】
【００２１】
【図１】本発明の一実施形態に係る射出成形品の製造方法であって、インパネを射出成形品とする場合の射出成形の概要を説明するための要部斜視図である。
【図２】図１に示す射出成形装置の断面図である。
【図３】図２に示す金型の要部拡大断面図である。
【図４】図２に示す射出成形装置を用いた射出成形の一例を説明するための図であって、第一層を射出成形した時点における金型の要部拡大断面図である。
【図５】図２に示す射出成形装置を用いた射出成形の一例を説明するための図であって、可動型の型開き動作を開始した直後における金型の要部拡大断面図である。
【図６】図２に示す射出成形装置を用いた射出成形の一例を説明するための図であって、可動型の型開き動作が終了した時点における金型の要部拡大断面図である。
【図７】（ａ）スライドブロックのスライド案内面に沿ったスライド量のベクトル分解図と、（ｂ）スライドブロックの第一スライド比調整面に沿ったスライド量のベクトル分解図、及び（ｃ）第二追従ブロックの第二スライド比調整面に沿ったスライド量のベクトル分解図である。
【図８】図２に示す射出成形装置を用いた射出成形の一例を説明するための図であって、第二層を射出成形した時点における金型の要部拡大断面図である。
【図９】他の発明に係る射出成形品の製造方法を説明するための図であって、（ａ）型締め状態における金型要部断面図と、（ｂ）コアバック後の状態における金型要部断面図である。
【発明を実施するための形態】
【００２２】
以下、本発明の一実施形態に係る射出成形品の製造方法、及び射出成形金型の内容を、自動車用インパネを射出成形する場合を例にとって説明する。
【００２３】
図１は、本発明の一実施形態に係る射出成形品の製造方法の概要を説明するための図であって、インパネ１（図８を参照）を射出成形するための射出成形金型を備えた射出成形装置１０の概念図を斜視図として示している。この射出成形装置１０は、相互に型締め及び型開き可能な固定型２０及び可動型３０と、固定型２０と可動型３０との間に形成される射出空間４０と、射出空間４０に向けて射出材料を射出するための射出ユニット５０ａ〜５０ｃとを主に備える。ここで、射出空間４０は、射出成形品となる自動車用インパネ１の本体形状（図１中、実線で示す形状）をなしている。本実施形態では、３個の射出ユニット５０ａ〜５０ｃが配設されており、そのうち１個の射出ユニット５０ｃは、後述するインパネ１の第一層２（図８を参照）の射出成形に使用され、残り２個の射出ユニット５０ａ，５０ｂは、インパネ１の第二層３（図８を参照）の射出成形に使用される。すなわち、１個の射出ユニット５０ｃは、射出空間４０のうち第一層２に対応した第一射出空間４１に所定の射出材料Ｐ１を射出可能に構成される。また、残り２個の射出ユニット５０ａ，５０ｂは、射出空間４０のうち第二層３に対応した第二射出空間４２に所定の射出材料Ｐ２を射出可能に構成される。
【００２４】
ここで、各射出材料Ｐ１，Ｐ２の流路は、例えば以下のように構成される。固定型２０の射出ユニット５０ａ〜５０ｃ側には、各射出材料Ｐ１，Ｐ２の入口側ゲート部２２が設けられると共に、固定型２０の射出空間４０側には、固定型２０の成形面２１側（図２を参照）に開口する複数の出口側ゲート部２３，２４が設けられる。そして、固定型２０の内部には、入口側ゲート部２２から出口側ゲート部２３，２４に至る複数の分岐した流路が形成されている（図１中破線及び細線で示す部分を参照）。ここで、射出空間４０は、インパネ１のベースとなる部分、ここではインパネ１の前面部の一部表層領域及びインパネ１の上面部の表層領域を除いた残りの領域に対応する第一射出空間４１と、インパネ１の前面部の一部表層領域及びインパネ１の上面部の表層領域に対応する第二射出空間４２とで構成されている。このうち、第一射出空間４１は、固定型２０と可動型３０とを型締めした状態で固定型２０と可動型３０との間に形成され（図３を参照）、第二射出空間４２は、固定型２０と可動型３０とが所定量だけ型開きした状態で固定型２０と可動型３０と間に形成される（図６を参照）。そのため、型締めした状態では、１個の射出ユニット５０ｃから射出された射出材料Ｐ１が、１個の入口側ゲート部２２を介して固定型２０内に流入し、１又は複数個（図１では１個）の出口側ゲート部２３を介して第一射出空間４１に供給されるようになっている。また、型開きした状態では、２個の射出ユニット５０ａ，５０ｂから射出された射出材料Ｐ２が、それぞれ１個の入口側ゲート部２２を介して固定型２０内に流入し、１又は複数個（図１では１個と２個）の出口側ゲート部２４を介して第二射出空間４２に供給されるようになっている。
【００２５】
本実施形態では、各射出ユニット５０ａ〜５０ｃと、入口側ゲート部２２との間に、ホットランナ６０が配設されている。この場合、各射出ユニット５０ａ〜５０ｃのシリンダノズルを前進させて、ホットランナ６０の後端部を押圧することにより、ホットランナ６０が前進し（固定型２０に向けて移動し）、固定型２０のランナ受け部と当接することで、上述した射出材料Ｐ１，Ｐ２の流路が形成されるようになっている。
【００２６】
ここで、射出材料Ｐ１，Ｐ２の材質は任意であり、第一層２及び第二層３に要求される特性に応じた材料を適宜選択することが可能である。例えば本実施形態のように第一層２がインパネ１のベースとなる場合、射出材料Ｐ１には、ポリプロピレンなどの汎用熱可塑性樹脂やエンプラなど、所要の機械的特性を示すと共に相対的に廉価な樹脂を採用することが可能である。また、第二層３が主に意匠品質（加飾性）の向上を目的とする場合、射出材料Ｐ２には、上記樹脂の他、ゴム、エラストマーなど色彩、光沢感、質感などの所定の外観特性を示し得る射出可能な材料を採用することが可能である。
【００２７】
図２は、射出成形装置１０の鉛直方向断面図を示している。正確には、型締め方向（ここでは水平方向）をｘ方向、型締め方向に直交する向き（ここでは鉛直方向）をｚ方向としたときのｘｚ仮想平面で切断したときに現れる断面図である。図２に示すように、この射出成形装置１０は、上述のように、固定型２０と、可動型３０と、射出空間４０と、射出ユニット５０ａ〜５０ｃとを備えると共に、固定型２０が取付けられる固定プラテン７０と、可動型３０が取付けられる可動プラテン８０と、固定型２０に設けられるスライドブロック９０と、第一追従ブロック１００及び第二追従ブロック１３０とをさらに備える。これら二つの追従ブロック１００，１３０のうち、第二追従ブロック１３０が、本発明に係る追従ブロックに相当する。
【００２８】
固定プラテン７０と可動プラテン８０とは図示しないタイバーを介して相対移動可能に連結されており、同じく図示しない駆動装置により可動プラテン８０を固定プラテン７０に近づける向きに移動させることで、可動プラテン８０に取付けられた可動型３０と固定プラテン７０に取付けられた固定型２０とが型締め状態となる。また、可動プラテン８０を固定プラテン７０から遠ざける向きに移動させることで、可動型３０と固定型２０が型開き状態となる。また、ホットランナ６０を固定プラテン７０内部に配設し、型開き方向に沿って移動可能とすることで、各射出ユニット５０ａ〜５０ｃからの押圧力を受けて、ホットランナ６０を固定型２０のランナ受け部に当接可能としている。
【００２９】
本実施形態では、固定型２０はキャビティをなし、可動型３０はコアをなしている。そのため、射出成形品としてのインパネ１の前面部の意匠面側が固定型２０側、反意匠面側が可動型３０側となるように、射出空間４０が設定される。これにより、第一層２（図４）の射出成形後、第一層２がコアとしての可動型３０に保持され、型開き動作時、第一層２が可動型３０と共に型開き方向（図２ではｘ方向）に移動可能とされる。
【００３０】
スライドブロック９０は、固定型２０のうち第二層３に対応する領域に配設される。本実施形態では、インパネ１上面部の意匠面側表層領域を第二層３としているので（図８を参照）、射出空間４０の上方にスライドブロック９０が配設される。この場合、固定型２０に設けられる成形面２１のうちスライドブロック９０で構成される部分が、第二層３を成形するための第二成形面２１ａとなり、第二成形面２１ａを含む成形面２１全体が第一層２を成形するための第一成形面となる（以下、単に第一成形面２１と称する）。よって、図３に示す型締め状態では、スライドブロック９０の第二成形面２１ａは、可動型３０に設けられた成形面３１との間に第一射出空間４１を形成するための第一成形面２１を構成し、図６に示す型開き状態では、第二成形面２１ａは、第一層２の表面２ａとの間に第二射出空間４２を形成する。
【００３１】
固定型２０には、スライドブロック９０のスライドを案内するスライド案内面１１０が設けられる。このスライド案内面１１０は、常にスライドブロック９０の上面９０ａと当接しており、上面９０ａがスライド案内面１１０と摺動することで、スライドブロック９０を所定の方向にスライド可能としている。本実施形態では、第一層２（図４）の表面２ａのうち上方を指向する領域２ａ１との間に所定の隙間ｔ１（図６）を確保できるよう、スライド案内面１１０の型開き方向（本実施形態ではｘ方向）に対する傾斜角θ１（図３）が設定される。この場合、型開き方向から傾斜角θ１だけ鉛直上方に傾いた向きに沿ってスライドブロック９０がスライド可能とされる。また、本実施形態では、スライドブロック９０を付勢するための付勢部材９１が固定型２０に配設されている。この付勢部材９１は、例えばばね等で構成され、スライドブロック９０をスライド案内面１１０に沿ってスライド可能なように、その付勢方向が設定されている。
【００３２】
また、本実施形態では、可動型３０に、スライドブロック９０のスライド比を調整する第一スライド比調整面１２０が設けられている。この第一スライド比調整面１２０は、常にスライドブロック９０の先端面９０ｂと当接しており、型開きに伴い、先端面９０ｂが第一スライド比調整面１２０と摺動することで、スライドブロック９０を第一スライド比調整面１２０に沿って所定の方向にスライド可能としている。このスライド動作により、第一スライド比調整面１２０は、例えば第二層３が図８に示すようにインパネ１の上面部から前面部の一部にわたって形成される場合に、第二層３のうち前面部に形成される部分３ｂの厚み寸法が上面部に形成される部分３ａの厚み寸法よりも大きく減少するのを防止する役割を有する。詳細は後述する。
【００３３】
ここで、スライドブロック９０は、スライド案内面１１０により型開き方向から斜め上方に向けてスライドし、その際の型開き方向（図３のｘ方向）のスライド量と、型開き方向に垂直な向き（図３のｚ方向）のスライド量との割合が、スライド案内面１１０の傾斜角θ１で設定される。これに対し、スライドブロック９０は、第一スライド比調整面１２０により鉛直上方に移動するにつれて型開き方向と反対の向き（すなわち型締め方向）に移動し、その際の型開き方向に垂直な向き（図３のｚ方向）のスライド量と、型締め方向のスライド量との割合が、第一スライド比調整面１２０の傾斜角θ２で設定される。
【００３４】
第一追従ブロック１００は、スライドブロック９０のうち第二層３の第一の方向（ここではｘ方向）側の端部に対応する位置に設けられる。本図示例では、この第一の方向側の端部は、本図示例では、第二層３のうちインパネ１の前面部に形成される部分３ｂ（図８）に対応している。ここで、第一追従ブロック１００は、型開き時にスライドブロック９０と共に移動し、かつ可動型３０に追従して型開き方向（ここではｘ方向）にスライドする。これにより、二層構造をなすインパネ１の第二層３をなす射出材料Ｐ２の射出時、第一層２側への漏れ出しを防止する機能を有する。本実施形態では、インパネ１前面部の上面部側に第二層３の第一の方向側の端部が位置しているので（図８を参照）、第一射出空間４１のうちインパネ１前面部の上面部側に対応する領域を成形可能な位置に、第一追従ブロック１００が配設される。この場合、スライドブロック９０に設けられる第二成形面２１ａのうち第一追従ブロック１００で構成される部分が、第一層２のうち第二層３との境界付近を成形するための第三成形面２１ｂとなる。よって、図３に示す型締め状態では、第一追従ブロック１００の第三成形面２１ｂは、可動型３０の成形面３１との間に第一射出空間４１を形成するための第一成形面２１を構成し、図５及び図６に示す型開き状態では、第三成形面２１ｂは、第一層２の表面２ａに密着する。
【００３５】
また、第一追従ブロック１００には、図示は省略するが、第一追従ブロック１００を第一層２の表面２ａに向けて付勢する付勢部材が設けられている。この付勢部材は、例えばスライドブロック９０を貫通する支持ピン（図示は省略）で支持されており、スライドブロック９０のスライド動作に関係なく、常に所定の方向（本実施形態ではｘ方向）に第一追従ブロック１００を付勢可能としている。
【００３６】
第二追従ブロック１３０は、スライドブロック９０の内部に配設され、インパネ１の第一層２及び第二層３に開口する開口部４（図８を参照）を成形するための成形面（後述する第四成形面２１ｃ）を有する。この第二追従ブロック１３０は、型開き動作の間、可動型３０及び可動型３０に保持された状態の第一層２に追従してｘ方向にスライドするように構成されている。この場合、スライドブロック９０に設けられる第二成形面２１ａのうち第二追従ブロック１３０で構成される部分が第四成形面２１ｃとなる。よって、第二追従ブロック１３０の第四成形面２１ｃは、図３に示す型締め状態では、可動型３０の成形面３１との間に第一射出空間４１を形成するための第一成形面２１を構成し、図５及び図６に示す型開き状態では、第一層２のうち開口部４を形成する部分（開口部４の第一内面４ａ）に密着した状態となる。
【００３７】
本実施形態では、第二追従ブロック１３０は、規制部材としての規制ピン１４０によりｚ方向への移動を規制された状態にある。この場合、規制ピン１４０は、スライドブロック９０及び第二追従ブロック１３０の何れとも独立して設けられており、型開き動作の間、固定型２０の本体と共に所定の位置に停止した状態を維持する。また、この場合、規制ピン１４０の下端面１４０ａは、第二追従ブロック１３０と連結された受け部１５０と当接し、その法線方向は型開き方向に直交する向きを指向している。すなわち、規制ピン１４０の下端面１４０ａは、可動型３０の型開き方向、すなわちｘ方向に沿って延在している。これにより、受け部１５０及び第二追従ブロック１３０は、規制ピン１４０に対してｘ方向に沿って摺動可能とされている。
【００３８】
また、第二追従ブロック１３０と受け部１５０の間には、ばね等の付勢部材１６０が配設されている。この付勢部材１６０は、型開き動作の間、スライドブロック９０のスライド動作に関係なく、常に所定の方向（本実施形態ではｘ方向に対して傾斜角θ３だけ傾いた向き）に第二追従ブロック１３０を付勢可能としている。
【００３９】
また、スライドブロック９０には、第二追従ブロック１３０のスライド比を調整する第二スライド比調整面１７０が設けられている。この第二スライド比調整面１７０は、少なくともスライドブロック９０のスライド動作の間、第二追従ブロック１３０の側面１３０ａと当接しており、型開き動作に伴い、側面１３０ａが第二スライド比調整面１７０と摺動することで、第二追従ブロック１３０を第二スライド比調整面１７０に沿って所定の方向にのみスライド可能としている。すなわち、第二スライド比調整面１７０の傾斜角θ３を、第一スライド比調整面１２０の傾斜角θ２と同じ大きさに設定することで、スライドブロック９０が、第一スライド比調整面１２０により鉛直上方に移動するにつれて型開き方向と反対の向きに移動した分だけ、第二追従ブロック１３０を型開き方向に移動可能としている。これにより、型開き動作の間における第二追従ブロック１３０のｘ方向のスライド量は、可動型３０及び第一層２のｘ方向のスライド量と等しくなる。また、本実施形態では、第二追従ブロック１３０は受け部１５０を介して規制ピン１４０にｚ方向へのスライドを規制された状態にあるため、固定型２０に原点を置いた座標系で見た場合には、スライドブロック９０のｚ方向への移動量は零となる。
【００４０】
次に、上記構成の射出成形装置１０を用いたインパネ１の製造方法の一例を、主に図３〜図８に基づいて説明する。
【００４１】
（Ｓ１）第一成形工程
まず図３に示すように固定型２０と可動型３０とを型締めした状態で、１個の射出ユニット５０ｃ（図１）を駆動して、射出材料Ｐ１を射出空間４０に向けて射出する。固定型２０と可動型３０とを型締めした状態では、射出空間４０のうち第一射出空間４１のみが固定型２０と可動型３０との間に形成されているので（図３）、出口側ゲート部２３を介して射出材料Ｐ１が第一射出空間４１に射出され、第一射出空間４１に対応した形状の成形部、すなわち第一層２が形成される（図４を参照）。また、スライドブロック９０に設けた第二追従ブロック１３０の第四成形面２１ｃにより、開口部４（図８）のうち第一層２により構成される部分、すなわち開口部４の第一内面４ａが第一層２に形成される（図４を参照）。
【００４２】
なお、この際（第一層２の成形時）、スライドブロック９０は、可動型３０に設けた第一スライド比調整面１２０によってスライド案内面１１０に沿ったスライドを規制された状態にある。また、第一追従ブロック１００は、可動型３０に設けたスライド規制面（図示は省略）によって型開き方向に沿ったスライドを規制され、第二追従ブロック１３０は、可動型３０に設けられたスライド規制面３０ａ（図４を参照）によって第二スライド比調整面１７０に沿ったスライドを規制された状態にある。また、図４に示す状態では、スライドブロック９０の付勢部材９１と第一追従ブロック１００の付勢部材（図示は省略）、及び第二追従ブロック１３０の付勢部材１６０にそれぞれ、所定の付勢力（ばねの場合、弾性復元力）が蓄積された状態にある。
【００４３】
（Ｓ２）第二成形工程
第一層２を形成した後、可動プラテン８０を駆動して可動型３０の型開き動作を開始する（図５を参照）。この際、可動型３０の型開き動作に伴って、第一スライド比調整面１２０が型開き方向（ここではｘ方向）に移動するので、スライドブロック９０のスライド規制状態が解消される。これにより、スライドブロック９０が付勢部材９１から付勢力を受けて、スライド案内面１１０に沿った向きのスライドを開始する。図５でいえば、型開き方向（左方向）から時計回りに傾斜角θ１だけ傾斜した向きに、スライドブロック９０がスライドを開始する。
【００４４】
一方、本実施形態では、可動型３０に第一スライド比調整面１２０を設けているので、スライドブロック９０がスライドを開始することで、スライドブロック９０の先端面９０ｂは、第一スライド比調整面１２０との摺動を開始する。これにより、スライドブロック９０がスライド案内面１１０に沿った向きのスライドを開始すると共に、第一スライド比調整面１２０に沿った向きのスライドを開始する。図５でいえば、型開き方向と反対の向き（右方向）から反時計回りに傾斜角θ２だけ傾斜した向きに、スライドブロック９０がスライドを開始する。
【００４５】
また、可動型３０の型開き動作に伴って、第一層２は可動型３０の成形面３１に保持された状態で可動型３０と一体的に型開き方向への移動を開始すると共に、可動型３０に設けた図示しないスライド規制面も型開き方向への移動を開始するので、第一追従ブロック１００のスライド規制状態が解消される。これにより、第一追従ブロック１００は、スライドブロック９０のスライド方向に移動しながら、図示しない付勢部材から付勢力を受けて、型開き方向に向けたスライドを開始する。この場合、第一追従ブロック１００の第三成形面２１ｂが第一層２の表面２ａに密着した状態を保ちながら、第一追従ブロック１００が可動型３０及び第一層２に追従して型開き方向に移動する。
【００４６】
このようにしてスライドブロック９０がスライドするにつれて、スライドブロック９０とその下方に位置する第一層２との間には鉛直方向（図５のｚ方向）の隙間が形成され、拡大していく。この隙間が最終的に第二層３を成形するための第二射出空間４２となる（図６）。一方、上述のようにして第一追従ブロック１００がスライドすることで、第一追従ブロック１００に設けた第三成形面２１ｂと第一層２の表面２ａとの密着状態が維持されるので、型開き動作の終了時まで、第一追従ブロック１００と第一層２との間に隙間が生じることはない（図６）。
【００４７】
そして、可動型３０を所定量だけ型開きした状態で停止させる。これにより、可動型３０に保持された状態の第一層２の表面２ａのうち上方を指向する領域２ａ１と、スライドブロック９０との間に所定の鉛直方向隙間ｔ１が形成される（図６）。また、第一層２の表面２ａのうち前方（型開き方向と反対の向き）を指向する領域でかつ第二層３が形成される領域２ａ２と、スライドブロック９０との間に所定の水平方向隙間ｔ２が形成される（図６）。これら隙間ｔ１，ｔ２を有する空間が、第二層３を射出成形するための第二射出空間４２となる。
【００４８】
ここで、図４に示す状態から図６に示す状態に至るまでの、スライドブロック９０のスライド案内面１１０に沿った向きのスライド量（以後、第一スライド量と称する。）をＳ１としたとき、第一スライド量Ｓ１は、鉛直方向成分Ｓ１ｚと、水平方向成分Ｓ１ｘとに分解することができる（図７（ａ）を参照）。また、上記スライドブロック９０の第一スライド比調整面１２０に沿った向きのスライド量（以後、第二スライド量と称する。）をＳ２としたとき、第二スライド量Ｓ２は、鉛直方向成分Ｓ２ｚと、水平方向成分Ｓ２ｘとに分解することができる（図７（ｂ）を参照）。このうち、第一スライド量Ｓ１の鉛直方向成分Ｓ１ｚは、第二射出空間４２のインパネ１上面部における鉛直方向隙間ｔ１に相当し、また、スライド案内面１１０と第一スライド比調整面１２０とで鉛直方向のスライド量は同じ（Ｓ１ｚ＝Ｓ２ｚ）になることを考慮すれば、図６に示す状態における第二射出空間４２の水平方向隙間ｔ２は、Ｓ１ｘ−Ｓ２ｘに等しいと考えることができる。以上より、可動型３０の型開き量と、スライド案内面１１０の傾斜角θ１と、第一スライド比調整面１２０の傾斜角θ２とを適宜設定することにより、第二射出空間４２における鉛直方向隙間ｔ１と水平方向隙間ｔ２がそれぞれ所定の大きさに制御される。
【００４９】
また、上述のように、型開き動作に伴い可動型３０がｘ方向に移動することで、第二追従ブロック１３０のスライド規制状態が解消される。これにより、第二追従ブロック１３０は、固定型２０に原点を置く座標系で見た場合、スライドブロック９０と共にスライド案内面１１０に沿って移動する。一方で、スライドブロック９０に原点を置く座標系で見た場合、第二追従ブロック１３０は、付勢部材１６０から付勢力を受けて、第二スライド比調整面１７０に沿った向きのスライドを開始する。この場合、第二追従ブロック１３０の第四成形面２１ｃが第一層２のうち開口部４を構成する第一内面４ａに密着した状態を保ちながら、第二追従ブロック１３０が可動型３０及び第一層２に追従して移動する。これにより、型開き動作が終了した状態では、図６に示すように、第二追従ブロック１３０の第四成形面２１ｃと第一層２の表面（第一内面４ａ）との密着状態が維持され、この密着部分に、第二層３を射出成形するための射出材料Ｐ２（図１）をシールするためのシール部１８０が形成された状態となる。
【００５０】
この場合、図４に示す状態から図６に示す状態に至るまでの、第二追従ブロック１３０の第二スライド比調整面１７０に沿った向きのスライド量（以後、第三スライド量と称する。）をＳ３としたとき、第三スライド量Ｓ３は、スライドブロック９０に原点を置いた座標系から見た場合、鉛直方向成分Ｓ３ｚと、水平方向成分Ｓ３ｘとに分解することができる（図７（ｃ）を参照）。ここで、第二追従ブロック１３０はスライドブロック９０と共にスライド案内面１１０及び第一スライド比調整面１２０に沿って移動し、かつ固定型２０に固定された規制ピン１４０によりｚ方向への移動（特に鉛直上方への移動）を規制された状態にある。そのため、第三スライド量Ｓ３のｚ方向成分Ｓ３ｚと第二スライド量Ｓ２のｚ方向成分Ｓ２ｚとは正負反対でかつ同じ大きさであり、相互に打ち消し合うことで、固定型２０に原点を置いた座標系から見た場合の第二追従ブロック１３０のｚ方向へのスライド量は零となる。
【００５１】
また、第二スライド比調整面１７０の傾斜角θ３を、第一スライド比調整面１２０の傾斜角θ２と同じ大きさに設定することで、スライドブロック９０が、第一スライド比調整面１２０により鉛直上方に移動するにつれて型開き方向と反対の向きに移動した分だけ、第二追従ブロック１３０は型開き方向に移動する。このことから、型開き動作の間における第三スライド量Ｓ３のｘ方向成分Ｓ３ｘと、第二スライド量Ｓ２のｘ方向成分Ｓ２ｘとが正負反対でかつ同じ大きさであり、相互に打ち消し合う。よって、第二追従ブロック１３０のｘ方向のスライド量は、スライドブロック９０のｘ方向のスライド量である第一スライド量Ｓ１のｘ方向成分Ｓ１ｘ、すなわち、可動型３０及び第一層２のｘ方向のスライド量と等しくなる。以上より、スライドブロック９０に第二追従ブロック１３０を設ける場合において、第二追従ブロック１３０は、可動型３０及び第一層２に追従して型開き方向（ｘ方向）に移動する。
【００５２】
以上のようにして、第二射出空間４２を形成した後、可動型３０を図６に示す位置に維持した状態で、２個の射出ユニット５０ａ，５０ｂ（図１）を駆動して、射出材料Ｐ２を射出空間４０に向けて射出する。固定型２０と可動型３０とを図６に示すように型開きした状態では、射出空間４０のうち第二射出空間４２が固定型２０と可動型３０との間、正確には、固定型２０及び固定型２０に設けたスライドブロック９０と、可動型３０に保持された第一層２との間に形成されているので（図６）、出口側ゲート部２４を介して射出材料Ｐ２が第二射出空間４２に射出され、第二射出空間４２に対応した形状の成形部、すなわち第二層３が形成される（図８を参照）。また、スライドブロック９０に設けた第二追従ブロック１３０の第四成形面２１ｃにより、開口部４のうち第二層３により構成される部分、すなわち開口部４の第二内面４ｂが第二層３に形成される（図８を参照）。これにより、開口部４が第一層２と第二層３にそれぞれ開口した状態で形成される。本実施形態では、第一層２と第二層３を貫通するように開口部４がインパネ１の上面部に形成される（図８を参照）。この開口部４として、例えばエアコン用の穴（通風口）を挙げることができる。
【００５３】
図８に示すように射出成形を行った後、可動型３０を図８に示す状態からさらに型開き方向に移動させることで、インパネ１を固定型２０と可動型３０との間から取り出す。これにより、前面部及び上面部の大部分をなす第一層２と、第一層２の上面部の表層部及び前面部の表層部の一部をなす第二層３、及び第一層２及び第二層３に開口する開口部４とを一体に有する二層構造の射出成形品であるインパネ１が得られる。
【００５４】
このように、本発明に係るインパネ１の製造方法では、キャビティとしての固定型２０に、型開き方向と異なる向きにスライドするスライドブロック９０を設け、このスライドブロック９０のスライド動作により第二層３の射出空間４２を形成する場合に、開口部４の成形面２１ｃを有する第二追従ブロック１３０をスライドブロック９０に設けて、スライドブロック９０のスライド動作の間、第四成形面２１ｃが第一層２のうち開口部４が形成される部分（第一内面４ａ）に密着した状態を維持するように、第二追従ブロック１３０をコアとしての可動型３０及び第一層２に追従させるようにした。このように、スライドブロック９０に設けた第二追従ブロック１３０を可動型３０及び第一層２に追従させることによって、第二層３の射出空間４２を形成した状態では、開口部４に隣接する第二層３の射出空間４２の端部を第一層２と第二追従ブロック１３０に設けた第四成形面２１ｃとでシールすることができる。これにより、第二層３用の射出材料Ｐ２が第四成形面２１ｃと第一層２との間に流れ込む事態を防止して、第二層３及び開口部４をそれぞれ所要の位置及び範囲に形成することができる。また、材料増加に伴う射出成形品の重量増加を防止でき、またその分の材料コスト高騰を回避することが可能となる。また、第一層２の表面２ａと密着する第二追従ブロック１３０の表面は、型締め時（第一層２の成形時）には、開口部４を区画する第一層２の第一内面４ａを成形するための成形面（第四成形面２１ｃ）であり、コアバックの間、第一層２のうち開口部４を区画する第一内面４ａを成形したときの状態を維持することになる。そのため、例えば第一層２の表面２ａ（４ａ）と第二追従ブロック１３０とが擦れて、第一層２の表面２ａ（４ａ）が傷つくおそれもない。また、第一層２の表面２ａ（４ａ）の形状に関係なく、常に安定した密着状態（シール状態）を得ることが可能となる。
【００５５】
また、本実施形態では、規制部材としての規制ピン１４０を固定型２０に設けて、第二追従ブロック１３０と連結される受け部１５０を規制ピン１４０で支持することで、第二追従ブロック１３０のｚ方向への移動を規制した状態で、可動型３０の型開き動作に伴って、第二追従ブロック１３０を規制ピン１４０に対して型開き方向に摺動するようにした。このようにスライドブロック９０と別体に設けた規制ピン１４０を設けることで、スライドブロック９０のスライド動作の間における第二追従ブロック１３０のｚ方向への移動が規制される。また、上述のように第二追従ブロック１３０の移動を規制した状態で、型開き動作の間、第二追従ブロック１３０を規制ピン１４０の下端面１４０ａに対してｘ方向に摺動させることで、可動型３０と共に型開き方向に移動する第一層２に密着した状態を維持したままで第二追従ブロック１３０を追従させることができる。また、本実施形態では、第二追従ブロック１３０と受け部１５０との間に付勢部材１６０を配設し、スライドブロック９０のスライド動作の間、常に第二追従ブロック１３０を可動型３０のスライド規制面３０ａに押圧するようにしたので、スライド動作の間、常に第二追従ブロック１３０とスライド規制面３０ａとの密着状態を維持することができる。
【００５６】
また、本実施形態では、第二追従ブロック１３０の側面１３０ａを第二スライド比調整面１７０に沿って摺動可能とし、かつこの第二スライド比調整面１７０の型開き方向に対する傾斜角θ３を、第一スライド比調整面１２０の傾斜角θ２と同じ大きさにしたので、無理な力を作用させることなく、第二追従ブロック１３０のｘ方向へのスライド量を、可動型３０及び第一層２のｘ方向へのスライド量に等しくすることができる。
【００５７】
以上より、本実施形態に係る第二追従ブロック１３０の追従構造によれば、簡易な構成で、第四成形面２１ｃを確実に第一内面４ａに密着させて第二層３の射出空間４２の端部をシールすることができるので、開口部４をより安定的に形成することが可能となる。
【００５８】
もちろん、本発明に係るインパネ１の製造方法によれば、一種類の金型（一対の固定型２０及び可動型３０）のみで二層構造のインパネ１を射出成形することができるので、製造コスト、設置スペースの面でも良好であり、また金型（固定型２０及び可動型３０）の交換動作等も必要ないため、生産性の面でも良好である。以上より、本発明によれば、第一層２のうち第二層３で覆われた部分に開口部４が設けられてなる高品質の自動車用インパネ１を低コストに量産することが可能となる。
【００５９】
以上、本発明の一実施形態について述べたが、本発明に係る射出成形品の製造方法は、その趣旨を逸脱しない範囲において、上記以外の構成を採ることも可能である。
【００６０】
例えば、上記実施形態では、開口部４が第一層２及び第二層３を貫通して形成される場合を例示したが（図８を参照）、もちろんこれには限られない。例えば図示は省略するが、第一層２の表面２ａが第二追従ブロック１３０のスライド規制面となるように、開口部４を第一層２の厚み方向中間位置まで形成する場合に本発明を適用することも可能である。あるいは、この場合も図示は省略するが、第一内面４ａを省略し、第二層３（第二内面４ｂ）のみで内面を構成してなる開口部４を第二層３に設ける場合に本発明を適用することも可能である。
【００６１】
また、上記実施形態では、第二追従ブロック１３０をばね等の付勢部材１６０で型開き動作に伴いスライドが可能になる方向に付勢することで、可動型３０の型開き動作に伴い、追従ブロック１００，１３０を可動型３０及び第一層２に追従してスライド可能とした場合を例示したが、もちろんこれには限られない。例えば設置スペースの面で問題がないようであれば、シリンダなど所定の駆動装置で第二追従ブロック１３０を型開き動作に応じてスライドさせる構成を採ることも可能である。
【００６２】
また、上記実施形態では、第二層３をインパネ１の上面部から前面部の一部にわたって形成する場合を例示したが、第二層３をインパネ１の上面部のみに形成してもよい。この場合には、可動型３０に設けた第一スライド比調整面１２０を省略してもよい。もちろん、第二層３を第一層２の表面２ａの全域にわたって形成してもよい。
【００６３】
また、上記実施形態では、スライドブロック９０とスライド案内面１１０を設けて、型開き動作に伴い、スライドブロック９０をスライド案内面１１０に沿ってスライドさせることで、第一層２の表面２ａのうち上方を指向する領域２ａ１と固定型２０（キャビティ）との間に第二射出空間４２を形成する場合を例示したが、もちろん第二射出空間４２の形成手段は、これには限られない。例えば設置スペース等の点で問題がないようであれば、シリンダなど所定の駆動装置でスライドブロック９０を型開き方向と異なる向きにスライドさせる構成を採ることも可能である。この場合、スライド案内面１１０を省略してもよい。
【００６４】
また、以上の説明では、射出成形品としてインパネ１を射出成形品として製造する場合を例示したが、もちろん、インパネ１以外の種類の射出成形品を二層構造とする場合にも、本発明を適用することが可能である。
【符号の説明】
【００６５】
１      インパネ
２      第一層
３      第二層
１０    射出成形装置
２０    固定型
２１    成形面（第一成形面）
２１ａ  第二成形面
２１ｂ  第三成形面
２１ｃ  第四成形面
２２    入口側ゲート部
２３，２４  出口側ゲート部
３０    可動型
３０ａ  スライド規制面
３１    成形面
４０    射出空間
４１    第一射出空間
４２    第二射出空間
５０ａ，５０ｂ，５０ｃ  射出ユニット
６０    ホットランナ
７０    固定プラテン
８０    可動プラテン
９０    スライドブロック
９１，１６０  付勢部材
１００  第一追従ブロック
１１０  スライド案内面
１２０  第一スライド比調整面
１３０  第二追従ブロック
１４０  規制ピン
１７０  第二スライド比調整面
１８０  シール部
Ｐ１，Ｐ２  射出材料
Ｓ１    第一スライド量（スライド案内面）
Ｓ２    第二スライド量（第一スライド比調整面）
Ｓ３    第二スライド量（第二スライド比調整面）
θ２    傾斜角（第一スライド比調整面）
θ３    傾斜角（第二スライド比調整面）
【図１】
2020116919.tif 000003
【図２】
2020116919.tif 000004
【図３】
2020116919.tif 000005
【図４】
2020116919.tif 000006
【図５】
2020116919.tif 000007
【図６】
2020116919.tif 000008
【図７】
2020116919.tif 000009
【図８】
2020116919.tif 000010
【図９】
2020116919.tif 000011